(57)【要約】【課題】    ジョブフロー等のオブジェクトの関連図を複数の紙に印刷する場合、画面上に表示するデータをそのまま紙に印刷するために、オブジェクトを示す図形（四角）が複数枚の紙にまたがってしまったり、オブジェクトを示す図形（四角）はきちんと印刷されても、他のオブジェクトとの関連を示す線やオブジェクトとの交点が印刷されず、関連を持つ他のオブジェクト数が分からないことが発生し、複数のページにまたがって印刷したために重要な情報が、理解しにくい形態で印刷されていた。関連図内の対象物（オブジェクト）を示すアイコンや、オブジェクト間の関連を示すリンク線が、利用者に理解しやすい形態で出力することを課題とする。【解決手段】上記の課題は、ジョブ等のオブジェクトを示す第１種の図形が、印刷用紙の印刷範囲に納まり、かつ、当該第１種の図形と接続されオブジェクト間の関連の線を示す第２種の図形との接続部分が前記印刷範囲内に含まれるように、第１種の図形の印刷位置を決定させるオブジェクト位置決定手段を備えることで解決される。【選択図】  図１
2005025784.tif 000002
【特許請求の範囲】
【請求項１】
オブジェクトを示す第1種の図形とオブジェクト間の関連の線を示す第2種の図形を有する関連図の、複数枚の印刷用紙にまたがる印刷を制御する関連図印刷制御処理装置において、
印刷用紙の印刷範囲の端から、前記第1種の図形分以上を差し引くことにより、図形印刷領域の大きさを決定する手段と、
前記図形印刷領域に、前記第1種の図形の一部が含まれるように、該第1種の図形の印刷位置を決定するオブジェクト位置決定手段と、
を備えることを特徴とする関連図印刷制御処理装置。
【請求項２】
印刷対象となる各オブジェクトの左上端アドレスを記憶するテーブルを備え、
前記オブジェクト位置決定手段は、前記左上端アドレスを前記図形印刷領域の大きさで割った時の商を印刷対象ページとし、余りを該印刷対象ページ内における印刷位置とすることを特徴とする請求項1記載の関連図印刷制御処理装置。
【発明の詳細な説明】
【技術分野】
【０００１】
本発明は、コンピュータのジョブの運用管理システム等で用いられる、ジョブフロー図等のオブジェクトの関連図の印刷処理に関する。
【背景技術】
【０００２】
コンピュータのジョブの運用管理システムでは、設定された運用管理情報に基づいて、運用するジョブの順序、先行ジョブとの関連を示すジョブフロー図を生成して、画面に表示することが行われていた。
運用管理者は、画面上に表示されたジョブフローを見ることで、自己が設定した運用管理に誤りがないかを確認していた。
【０００３】
近年、運用される業務システムが巨大になり、ジョブフロー図として表示するジョブの数が多くなり、一画面では納まらなくなってきている。
そこで、運用管理者は、画面をスクロールさせて、表示しきれない部分を確認してきた。
しかし、画面数が２枚程度ならば画面だけでも確認可能であるが、画面数が多くなると、紙に印刷してジョブフロー全体との関連を確認する必要がある。
しかし、ジョブフローを紙に印刷する場合であっても、画面表示の場合と同様に、出力すべき情報量が多いため、複数枚の紙にまたがってしまう。
【０００４】
従来の技術において、ジョブフローを紙に印刷する場合、画面上に表示するデータをそのまま紙に印刷するために、図１６（Ａ）にあるように、ジョブを示す図形（四角）が複数枚の紙にまたがってしまったり、図１６（Ｂ）にあるように、ジョブを示す図形（四角）はきちんと印刷されても、他のジョブとの関連を示す線とジョブとの交点が印刷されず、関連を持つ他のジョブ数が分からないことが発生し、複数のページにまたがって印刷したために重要な情報が、理解しにくい形態で印刷されていた。
【０００５】
また、ジョブフロー図を紙に印刷する場合、ジョブフロー全体を含む矩形の領域を印刷するために、ジョブを示す図形や他のジョブとの関連を示す線が全く印刷されない紙も出力されていた。
さらに、印刷後は、複数の紙を張り合わせて、一枚の紙にすれば、ジョブフロー全体が分かるようになるが、出力されたジョブフローの各々の関連を確かめながら、張り合わせなければならなかった。
【０００６】
また、他のジョブとの関連を示す線を、どのジョブが上位のジョブでどのジョブが下位のジョブかを識別するために、上位のジョブから下位のジョブへ、矢印付の線で表していたが、複数の矢印付の線と矢印なしの線が同じ点にあると、どのジョブからの線が矢印付で、どのジョブからの線が矢印付でないか、識別が困難になっていた。
【発明の開示】
【発明が解決しようとする課題】
【０００７】
第１の課題は、ジョブフロー等のオブジェクトの関連図を複数の紙に印刷する場合、オブジェクト間の関連を利用者に理解しやすい形態で出力することである。
第２の課題は、ジョブ等のオブジェクトを示す図形や他のオブジェクトとの関連を示す線が全く印刷されない紙を出力しないことである。
【０００８】
第３の課題は、印刷された複数の紙を張り合わせて一枚の紙することを容易にすることである。
第４の課題は、他のオブジェクトとの関連を示す線が多くなっても、どのオブジェクトが上位のオブジェクトでどのオブジェクトが下位のオブジェクトかを識別しやすくするように出力することである。
【課題を解決するための手段】
【０００９】
第１図は、本発明の原理を説明する図であり、図１（Ａ）では、画面に表示するデータをそのまま印刷した場合に、複数のページにまたがってしまうジョブ等のオブジェクトを示す図形４０（四角のアイコン）を、印刷領域よりアイコンの大きさ分以上を差し引いた領域（アイコン印刷領域９７Ａ）に、その一部が入るような４１の位置に印刷位置を変更したところを示している。
【００１０】
図１（Ｂ）では、オブジェクトを示す図形４２（四角のアイコン）はきちんと印刷されても、他のオブジェクトとの関連を示す線とオブジェクトとの交点が印刷されず、関連を持つ他のオブジェクトの数が分からなくなるのを防ぐために、上記と同様にアイコン印刷領域９７Ｄに入るような４３の位置に、アイコンの印刷位置を変更したところを示している。
【００１１】
ジョブフロー等のオブジェクトの関連図を複数の紙に印刷する場合に、オブジェクト間の関連を利用者に理解しやすい形態で出力するという課題については、ジョブ等のオブジェクトを示す第１種の図形が、印刷用紙の印刷範囲に納まり、かつ、当該第１種の図形と接続されオブジェクト間の関連の線を示す第２種の図形との接続部分が前記印刷範囲内に含まれるように、第１種の図形の印刷位置を決定させるオブジェクト位置決定手段により解決される。
【００１２】
また、ジョブ等のオブジェクトを示す図形や他のオブジェクトとの関連を示す線が全く印刷されない紙を出力しないという課題については、縦方向および横方向に複数枚の印刷用紙より構成される２次元の印刷領域を、印刷用紙一枚単位である印刷ページとして管理し、オブジェクトを示す第１種の図形またはオブジェクトとの関連を示す第２種の図形の印刷情報を含む、印刷ページのみを印刷するように制御する印刷ページ決定手段により解決される。
【００１３】
印刷された複数の紙を張り合わせて一枚の紙することを容易にするという課題については、縦方向および横方向に複数枚の印刷用紙より構成される２次元の印刷領域を、印刷用紙一枚単位である印刷ページとして管理し、オブジェクトを示す第１種の図形またはオブジェクトとの関連を示す第２種の図形を印刷する際に、当該印刷ページの横方向の位置および縦方向の位置を示す情報を合わせて印刷させる手段により解決される。
【００１４】
他のオブジェクトとの関連を示す線が多くなっても、どのオブジェクトが上位のオブジェクトでどのオブジェクトが下位のオブジェクトかを識別しやすくするように出力するという課題については、オブジェクトを示す第１種の図形には角を有する図形を用い、オブジェクトとの関連を示す第２種の図形で接続される他のオブジェクトが処理対象のオブジェクトの上位であるか下位であるかにより、処理対象のオブジェクトを示す第１種の図形と前記第２種の図形との接続位置を、第１種の図形の角の部分にするか角以外の部分に決定するリンク線位置決定手段により解決される。
【発明の効果】
【００１５】
ジョブフローを複数の紙に印刷する場合に、利用者に理解しやすい形態で出力することできるようになる。
また、ジョブを示す図形や他のジョブとの関連を示す線が全く印刷されない紙を出力しないようにできる。
さらに、関連図を印刷した各用紙に、全体の中のどの部分に該当するかの情報を印刷しているので、印刷された複数の紙を張り合わせて一枚の紙することを容易になる。
他のジョブとの関連を示す線が多くなっても、どのジョブが上位のジョブでどのジョブが下位のジョブかを識別しやすくなっている。
【発明を実施するための最良の形態】
【００１６】
第２図は、本発明の一実施例のシステム構成図を示す図である。
１０は、処理装置４０で実行されるジョブＡ、Ｂ、Ｃ（３１、３２、３３）の運用を管理する運用管理装置である。
運用管理装置１０では、運用フロー定義手段１１で、運用を行うジョブ名、そのスケジュール時間、先行ジョブとの関連を、運用管理者に定義させ、ジョブ構成テーブル２１に格納する。
そして、運用制御手段１２が、ジョブ構成テーブル２１の内容に基づいて、処理装置４０にあるジョブＡ、Ｂ、Ｃ（３１、３２、３３）の実行（運用）を制御する。
【００１７】
１４は、ジョブ構成テーブルに従ってジョブフロー図をプリンタに出力する際に、ジョブ等のオブジェクトを示すアイコンの印刷位置を決定するオブジェクト位置決定手段である。
オブジェクト位置決定手段１４は、図１で示したように、用紙の印刷範囲の両端よりオブジェクト（アイコン）の大きさ分以上を差し引いた領域であるアイコン印刷領域に、各オブジェクト（アイコン）の一部が含まれるように、オブジェクトの印刷位置を決定するものである。
このオブジェクト位置決定手段１４で求めた、オブジェクトの印刷位置は、印刷情報テーブル２２に格納され、そして、実際の印刷処理が、この印刷情報テーブル２２の内容に基づいて、印刷を行う。
【００１８】
また、１３は、印刷する用紙の印刷範囲の設定およびオブジェクトを示すアイコンの大きさの設定を行わせる手段であり、その設定の内容により、上記のアイコン印刷領域を求める。
１５は、２つのオブジェクト（アイコン）間の関連を示す線（リンク線）の始点および終点を決定するリンク線位置決定手段である。
他のオブジェクトが親ジョブ（先行ジョブ）の場合には、図１１に示したように、オブジェクトの辺の中点７８が線との接続位置となる。
また、他のオブジェクトが子ジョブ（後続ジョブ）の場合には、オブジェクトの角７７が線との接続位置となる。
このリンク線位置決定手段１５で求めた、リンク線の印刷位置は、印刷情報テーブル２２に格納される。
【００１９】
１６は、前記オブジェクト位置決定手段１４およびリンク線位置決定手段１５で決定された印刷位置の情報が含まれているページだけを印刷するように制御する印刷ページ決定手段である。
具体的には、ページテーブル２３にどのページが印刷情報が含まれているかが記憶されている。
図３の印刷サイズ設定の処理フロー図と、図４の印刷領域と用紙の関係を示す図を用いて、印刷サイズ設定の処理を説明する。
【００２０】
図３において、ステップ１０１で、印刷に用いる用紙のサイズ、左右および上下のマージン、ジョブを示すアイコンのサイズを、操作者が設定する画面を表示する。
そして、操作者が設定した、用紙のサイズ、左右および上下のマージン、アイコンのサイズを記憶する（ステップ１０２）。
【００２１】
次に、用紙サイズ、マージンより、ジョブフロー図のリンク線の印刷領域を求める（ステップ１０３）。
印刷領域と用紙サイズとマージンとの関係は、図４にあるとおりである。
すなわち、用紙サイズＨ０×Ｗ０に対して、左右のマージンがＷＳ１であり、上のマージンがＨＳ１、下のマージンがＨＳ３、ヘッダの印刷領域の高さがＨＨの場合、印刷領域の高さＨ２は、（Ｈ２＝Ｈ０−ＨＳ１−ＨＳ３−ＨＨ）である。
また、印刷領域の幅Ｗ２は、（Ｗ２＝Ｗ０−ＷＳ１−ＷＳ１）である。
【００２２】
上記で求めた印刷領域のサイズと、アイコンのサイズに基づいて、ジョブ（オブジェクト）を示すアイコンの印刷領域を求める（ステップ１０４）。
アイコンのサイズがＨＳ２×ＷＳ２である場合、アイコン印刷領域９７の高さＨ１は、（Ｈ１＜＝Ｈ２−ＨＳ２−ＨＳ２）である。
アイコン印刷領域９７の幅Ｗ１は、（Ｗ１＜＝Ｗ２−ＷＳ２−ＷＳ２）である。
【００２３】
図５は印刷の処理フローであり、図６は、印刷情報設定の処理フローである。
これらの処理では以下のテーブル（またはファイル）が使用される。
（１）図７のジョブ構成テーブル、（２）図８の印刷情報テーブル、（３）図９のページテーブル。
図７は、運用管理システムで運用するジョブの定義を記憶したジョブ構成テーブルである。
ジョブ構成テーブルには、運用（実行）するジョブ毎に、そのジョブの実行条件である、先に実行されていなければならないジョブ名（先行ジョブ名）を記憶している。
【００２４】
ジョブ構成テーブルの各ジョブと先行ジョブの関連からジョブフローを表示または印刷を行うが、画面上に表示する際に、各ジョブに対応するアイコンを表示する座標を記憶している。
図８は、印刷する単位である印刷オブジェクト毎に、どのような図形をどの位置に表示するかを記憶している。
【００２５】
図９は、２次元の座標系のどの位置がどの用紙に該当するかを記憶したページテーブルであり、各用紙毎に２次元座標系の位置を、開始座標および終了座標で管理し、かつ、行番号、列番号でも管理している。
図１０は、画面表示と印刷座標との関係を示す図である。
図中、点線で囲まれた矩形が印刷の用紙の一枚に該当する。
この図は、９枚の印刷用紙と画面表示との関係を示したものである。
アイコン７２の画面表示におけるアイコンの左上端の座標（図示せず）から、用紙の大きさ（正確にはアイコン印刷領域の大きさ）に基づいて、当該アイコン７２を印刷すべき用紙を求める。
この場合、行番号３、列番号３の用紙がアイコン７２を印刷すべき用紙となる。
そして、前記アイコンの７２の画面表示の座標のＸ座標の値とＹ座標の値を、それぞれ、アイコン印刷領域のＸ方向の長さ、Ｙ方向の長さで割った時の余りの値（ＸＰ５２１、ＹＰ５２１）が、該当する用紙における印刷するアイコンの左上端の位置となる。
【００２６】
図５、図６を用いて、印刷処理の動作を説明する。
まず、操作者より印刷の指示を受けると、図７のジョブ構成図を参照して、先頭ジョブを求める（ステップ１）。
先頭ジョブとは、そのジョブの前に実行すべきジョブがないものである。
図７の例では、ジョブ名Ａ１が先頭ジョブに該当する。
次に、ジョブ構成テーブルに格納されている、そのジョブの画像表示アドレスから、そのジョブに対応するアイコンを印刷する印刷ページを求める（ステップ２）。
これは、上記で図１０について説明したように、アイコンの画面表示におけるアイコンの左上端の座標から、アイコン印刷領域の大きさに基づいて、当該アイコンを印刷すべきページ（用紙）を求める。
すなわち、アイコンの画面表示の座標のＸ座標の値とＹ座標の値を、それぞれ、アイコン印刷領域のＸ方向の長さ、Ｙ方向の長さで割った時の商（余りがある場合には切り上げた値）がそれぞれ、列番号、行番号となる。
【００２７】
そして、求めた列番号、行番号が、すでにページテーブルに格納されているかを判定して、新規のページであるかを判定する（ステップ３）。
もし、ページテーブルに格納されていなければ、その列番号、行番号をページテーブルに格納する（ステップ４）。
ページテーブルには、各ページの開始位置（Ｘ座標、Ｙ座標）および終了位置（Ｘ座標、Ｙ座標）のカラムがあるが、その値は、以下のようにして求める。
【００２８】
ページ開始位置（Ｘ座標）＝リンク線印刷領域の幅（Ｗ２）×（印刷ページ（行番号）−１）
ページ開始位置（Ｙ座標）＝リンク線印刷領域の長さ（Ｈ２）×（印刷ページ（列番号）−１）
ページ終了位置（Ｘ座標）＝リンク線印刷領域の幅（Ｗ２）×印刷ページ（行番号）
ページ終了位置（Ｙ座標）＝リンク線印刷領域の長さ（Ｈ２）×印刷ページ（列番号）
上記で使用している記号は、図４と同じものである。
【００２９】
次に、当該ジョブに関する印刷情報を印刷情報テーブルに格納する（ステップ５）。
この印刷情報テーブルへの印刷情報の格納については、図６を用いて詳細に説明する。
処理対象のジョブが、すでに、印刷情報テーブルに格納されているかを判定する（ステップ５１）。
印刷情報テーブルは、印刷対象（アイコン、リンク線）毎に印刷情報を格納している。
印刷対象のアイコンはジョブを示すものである。
リンク線は２つのジョブの関係を示すものである。
図８の印刷情報テーブルには、どのアイコンがどのジョブに対応するかを示すデータはなく、ジョブ構成テーブル中に、各ジョブに対応するアイコンの印刷情報へのポインタを有している。
（なお、図８において、オブジェクトとあるのは、印刷対象の図形（印刷オブジェクト）を意味し、これまで説明したオブジェクトとはフロー図におけるジョブ等の関連図における関連を示す対象物を意味するものである。
）したがって、処理対象のジョブのジョブ名をキーにして、ジョブ構成テーブルを検索し、印刷情報テーブルへのポインタを有しているか否かを判定する。
もし印刷情報テーブルへのポインタがなければ、印刷情報テーブルに、印刷オブジェクト種別をアイコンとする印刷情報を設定し、そこへのポインタをジョブ構成テーブルに格納する（ステップ５２）。
すでに、印刷情報テーブルに、該当するレコードがある場合には、ステップ５３からのリンク線の処理を行う。
【００３０】
アイコンの印刷情報として設定する情報としては、上記で求めた当該アイコンを印刷する印刷ページの行番号、列番号と、その印刷ページ内での当該アイコンの左上端の相対アドレス（リンク線印刷領域の左上端を起点とするアドレス）がある。
印刷ページ内でのアイコンの左上端の座標は、以下の式に示したように、まずアイコン印刷領域における座標を求め、それに余白分を加算して求める。
【００３１】
アイコン領域における座標（Ｘ座標）＝画面表示アドレス（Ｘ座標）−アイコン印刷領域の幅（Ｗ１）×（ページ（列番号）−１）
ページ内の相対アドレス（Ｘ座標）＝アイコン領域における座標＋横余白（ＷＳ２）
アイコン領域における座標（Ｙ座標）＝画面表示アドレス（Ｙ座標）−アイコン印刷領域の幅（Ｈ１）×（ページ（行番号）−１）
ページ内の相対アドレス（Ｙ座標）＝アイコン領域における座標＋縦余白（ＨＳ２）
上記で使用している記号は、図４と同じものである。
【００３２】
そして、リンク線の印刷情報に関する処理に移行する。
まず、処理対象のジョブのジョブ名をキーにして、ジョブ構成テーブルを検索して、先頭ジョブかを判定する（ステップ５３）。
先頭ジョブであれば、当該ジョブに対応するアイコンにリンク線情報を持つことがないからである。
もし、処理対象のジョブが、先頭ジョブでなければ、リンク情報を設定する（ステップ５４）。
上記ではまだ説明していないが、本処理の呼出元となっていたジョブの情報（親ジョブ）を記憶しており、その呼出元のジョブ（親ジョブ）と当該処理対象のジョブとのリンク線の印刷情報を求める。
【００３３】
リンク線の印刷情報の求める処理は以下のとおりである。
（１）当該ジョブと親ジョブが同一の印刷ページにある場合
当該ジョブに対応する印刷情報テーブルのレコードに、リンク線数を１加算する。
そして、リンク線の開始アドレスと終了アドレスを、以下の式により求め、当該レコードの未入力のリンク線のカラムに格納する。
【００３４】
開始アドレス（Ｘ座標）＝親ジョブの左上端の相対アドレス（Ｘ座標）＋アイコンの幅
開始アドレス（Ｙ座標）＝親ジョブの左上端の相対アドレス（Ｙ座標）
終了アドレス（Ｘ座標）＝当該ジョブの左上端の相対アドレス（Ｘ座標）
終了アドレス（Ｙ座標）＝当該ジョブの左上端の相対アドレス（Ｙ座標）＋アイコンの長さ／２
（２）当該ジョブと親ジョブが異なる印刷ページにある場合
当該ジョブに対応する印刷情報テーブルのレコードに、リンク線数を１加算する  図１２に示したように、上記と同様に、開始アドレス８７と終了アドレス８２を求め、その直線上と各ページの境界（正確にはリンク線印刷領域の境界）とが交差する点（８３、８４、８５、８６）を求める。
終了アドレス８２と、同じページの境界と交差する点８３（開始アドレス）を、当該ジョブに対応するレコードの未入力のリンク線のカラムに格納する。
【００３５】
そして、残りの線分（８３〜８４、８４〜８５、８５〜８６、８６〜８７）については、印刷情報テーブルに、印刷オブジェクト種別をリンク線とする、線分の数だけ新たなレコードを生成して、ページの行番号、列番号、開始アドレス、終了アドレスを格納する。
この時、リンク線が引かれるページが新規印刷ページであるか否かを判定して、新規印刷ページであれば、ページテーブルに新規印刷ページを追加する（ステップ３とステップ４と同じ処理）。
【００３６】
以上が印刷情報の設定の処理であり、次に、次のジョブを求める（ステップ６）。
次のジョブがあれば、ステップ２からの処理を繰り返す（ステップ７）。
次のジョブの求め方の順序を示したものが、図１３である。
四角の図形はそれぞれジョブを示しており、左端が先頭ジョブである。
四角の図形内の括弧付の数字が検索順番を示している。
まず、深さ（右）の方向に順次処理していく。
末端にたどり着いた場合には、子ジョブを複数持つジョブまで、末端から逆に戻っていく。
そして未処理の子ジョブがあれば、また深さ方向に順次処理していく。
【００３７】
上記の処理順番は、ジョブ構成テーブルを検索して行う。
先頭ジョブＡ１の処理をした後は、この先頭ジョブ名Ａ１を、先行ジョブとするジョブＡ２を処理対象にする。
そして、次にジョブＡ２を先行ジョブとするジョブＡ５に、Ａ５を先行ジョブとするジョブＡ６にと、深さの方向に順次処理していく。
末端にたどり着いた場合（Ａ６を先行ジョブとするジョブがない場合には）、呼び出し元のＡ５を先行ジョブとするジョブで未処理のものがないかを判定する。
なければ、このＡ５の呼び出し元であるＡ２を先行ジョブとするジョブで未処理のものがないかを判定する。
さらに、Ａ２の呼出元であるＡ１を先行ジョブするジョブで未処理のものがないかを判定して、Ａ３を求める。
【００３８】
すべてのジョブに対する上記の処理が終了すると、次に、これまで設定した印刷情報テーブルの内容に従って、印刷を行う（ステップ８）。
この印刷処理は、まず、ページテーブルを参照して、まず、先頭のページ情報を取り出し、最初のページに対応するアイコンおよびリンク線（同じ行番号、列番号のもの）を、印刷情報テーブルより取り出し、その情報に基づいて印刷を行う。
この時、ページ総数および現在のページ数を、図１４の９３のように印刷する。
また、このページに対応する行番号、列番号を、９１、９２のように印刷する。
【００３９】
一つのページの印刷が終了した後は、ページテーブルより次のページ情報を取り出し、上記と同じ処理を行う。
このように、ページテーブルにページ情報があるもののみが印刷対象となるため、図１５にあるようなフロー図を印刷する場合には、印刷するオブジェクトがあるページ（１０１、１０２、１０３、１０５、１０６）だけが印刷される。
【図面の簡単な説明】
【００４０】
【図１】本発明の原理を説明する図である。
【図２】システム構成図である。
【図３】印刷サイズ設定の処理フロー図である。
【図４】印刷領域と用紙の関係を示す図である。
【図５】印刷の処理フロー図である。
【図６】印刷情報設定の処理フロー図である。
【図７】ジョブ構成テーブルのデータ構造図である。
【図８】印刷情報テーブルのデータ構造図である。
【図９】ベージテーブルのデータ構造図である。
【図１０】画面表示と印刷との関係を示す図である。
【図１１】アイコンとリンク線との関係を示す図である。
【図１２】リンク線の印刷を説明する図である。
【図１３】オブジェクトの検索順番を説明する図である。
【図１４】フロー図の印刷例を示す図
【図１５】印刷対象ページを説明する図
【図１６】従来技術を説明する図
【符号の説明】
【００４１】
１０  運用管理装置
１１  運用フロー定義手段
１２  運用制御手段
１３  印刷サイズ設定手段
１４  オブジェクト位置決定手段
１５  リンク線位置決定手段
１６  印刷ページ決定手段
２１  ジョブ構成テーブル
２２  印刷情報テーブル
２３  ページテーブル
【図１】
2005025784.tif 000003
【図２】
2005025784.tif 000004
【図３】
2005025784.tif 000005
【図４】
2005025784.tif 000006
【図５】
2005025784.tif 000007
【図６】
2005025784.tif 000008
【図７】
2005025784.tif 000009
【図８】
2005025784.tif 000010
【図９】
2005025784.tif 000011
【図１０】
2005025784.tif 000012
【図１１】
2005025784.tif 000013
【図１２】
2005025784.tif 000014
【図１３】
2005025784.tif 000015
【図１４】
2005025784.tif 000016
【図１５】
2005025784.tif 000017
【図１６】
2005025784.tif 000018